(57)【特許請求の範囲】
【請求項１】
基礎上に掛け渡される横架部材と、この横架部材の側面形状に対応する凹部が側端面に形成される一対の床部材と、を含み、
前記横架部材は、Ｈ形鋼であって、一対のフランジ片が上側及び下側において水平に配置され、
前記凹部は、上側のフランジ片と嵌合する溝を含み、
下側の前記フランジ片は、前記各床部材の下面を支持し、
前記一対の床部材は、建築用パネルで構成され、
前記一対の建築用パネルは、それぞれの前記凹部に前記Ｈ形鋼をはめ込んで、
前記Ｈ形鋼の一対のフランジ片間のリブ状部を貫通するボルトにて前記Ｈ型鋼と一対の建築用パネルとが一対の建築用パネルの床表面の側端を接合した状態で連結されることを特徴とする床構造。
【請求項２】
請求項１記載の床構造において、
前記Ｈ形鋼は、防振ゴムにて被覆されることを特徴とする床構造。
【発明の詳細な説明】
【０００１】
【発明の属する技術分野】
本発明は、床下空間を広くすることができる床構造に関する。
【０００２】
【背景技術及び発明が解決しようとする課題】
いわゆる在来工法において、１階の床は、基礎上に設けられる大引き及び根太によって支えられていた。ここで、大引きは、束石上に建てられた床束によって支えられており、スパンをとばすために厚みの大きい角材が大引きとして使用されていた。従って、床高を一定に保つと、大引きがあることで床下の空間が狭くなっていた。
【０００３】
しかしながら、床下には、配管の点検などのために作業者が入れる空間があることが好ましい。
【０００４】
そこで、本願出願人は、日本特許情報機構（ＪＡＰＩＯ）の先行技術調査（パトリス）を利用して調査を行ったところ、実開昭５７−１０６９０７号公報を抽出した。同公報には、Ｈ形鋼に床パネルを嵌合させる床構造が開示されているが、この床構造では、Ｈ形鋼の上面が床パネルの表面と面一になって露出する構造となっている。従って、Ｈ形鋼を介して一対の床パネルを接合すると、一方の床パネルとＨ形鋼との接合部及び他方の床パネルとＨ形鋼との接合部が、床面に現れる。すなわち、床パネル同士の１カ所の接合部であるにもかかわらず、２つの接合部が表面に現れるので、床表面の段差をなくすための調整箇所が増えるという問題があった。
【０００５】
本発明は、上記課題に鑑みてなされたものであり、その目的は、床表面に現れる接合部を増やすことなく、床下空間が広くなる床構造を提供することを目的とする。
【０００６】
【課題を解決するための手段】
上記課題を解決するため、請求項１記載の発明は、基礎上に掛け渡される横架部材と、この横架部材の側面形状に対応する凹部が側端面に形成される一対の床部材と、を含み、
前記横架部材は、Ｈ形鋼であって、一対のフランジ片が上側及び下側において水平に配置され、
前記凹部は、上側のフランジ片と嵌合する溝を含み、
下側の前記フランジ片は、前記各床部材の下面を支持し、
前記一対の建築用パネルは、それぞれの前記凹部に前記Ｈ形鋼をはめ込んで、
前記一対の床部材は、建築用パネルで構成され、
前記Ｈ形鋼の一対のフランジ片間のリブ状部を貫通するボルトにて前記Ｈ型鋼と一対の建築用パネルとが一対の建築用パネルの床表面の側端を接合した状態で連結されることを特徴とする。
【０００７】
請求項１記載の発明によれば、基礎上に掛け渡される横架部材が、一対の床部材の側端面に設けられた凹部にはめ込まれ、一対の床部材の床表面の側端が接合されることから、床表面に現れる接合部を増やすことなく、床下空間が広くなる床構造を提供することが可能となる。
【０００８】
つまり、基礎上に掛け渡される横架部材があることから、床部材が支持され、スパンをとばすことができる。そして、この横架部材が一対の床部材の側端面の凹部にはめ込まれることから、横架部材の床下への突出部分を少なくすることができる。このため、床の位置を上げることなく床下空間を広げることが可能となる。また、一対の床部材の床表面の側端が接合されることから、横架部材が床表面に露出せず、床表面に現れる接合部の増加が防止される。
【０００９】
ここで、横架部材とは、基礎上に掛け渡し得る長さと、一対の床部材の側端を支持可能な強度を有する部材をいう。従って、例えば、角材や形鋼等、種々の構成のものを使用し得る。
【００１０】
また、床部材とは、床を構成する部材であって、横架部材をはめ込み可能な凹部を側端面に形成し得るものをいう。従って、例えば、床梁や床パネル等が含まれる。
【００１１】
さらに、基礎は、布基礎であるか独立基礎であるかを問わず、建物最下階において床部材を支持するために使用し得る種々の基礎を含むものとする。従って、例えば、横架部材を一対の布基礎の上に掛け渡したり、複数の独立基礎の上に掛け渡す他、布基礎と独立基礎の両者の上に掛け渡すように配することもできる。特に、一対の布基礎の上に横架部材を配設し、横架部材の下方に位置すべき独立基礎を省略する場合には、床下空間の高さのみならず、横方向の広がりも大きくすることが可能となる。
【００１２】
【００１３】
また、一対の床部材が連結手段を介して互いに連結固定されることから、横架部材によって一対の床部材の接合部が補強される。このため、強固な床構造を実現することが可能となる。
【００１４】
また、ボルトを連結手段として使用することができる。
【００１５】
【００１６】
さらに、横架部材がＨ形鋼であることから、請求項１又は請求項２に記載された床構造を簡単に実現することができる。つまり、横架部材として互いに連結された一対のフランジ片を有するＨ形鋼が用いられ、このフランジ片が水平に配置されることから、フランジ片を連結する部分がストッパーとなる。このため、各床部材の凹部にはめ込まれる横架部材の割合が容易に決定される。また、凹部は上側のフランジ片と嵌合する溝を含むことから、簡単な作業で形成することができる。さらに、下側のフランジ片が各床部材の下面を支持することから、各床部材の自重による接合部の破壊を防止して、一対の床部材同士の接合状態を確実に維持することが可能となる。
【００１７】
また、Ｈ形鋼は周知の部材であることから、入手が容易であり、低コストで本発明にかかる床を形成することができる。
そしてさらに、各床部材が建築用パネルで構成されることから、広い床下空間を有する床を簡単な作業で迅速に形成することができる。
【００１８】
請求項２記載の発明は、請求項３記載の床構造において、前記Ｈ形鋼は、防振ゴムにて被覆されることを特徴とする床構造。
【００１９】
請求項２記載の発明によれば、横架部材であるＨ形鋼がゴムで被覆されることから、Ｈ形鋼とその周囲の部材との間の摩擦力が大きくなるとともに、床部材から伝わる振動がゴムによって吸収され、床部材と横架部材が相互にずれにくくなる。従って、部材相互の位置関係を良好な状態に維持することが容易となる。
【００２０】
ここで防振ゴムとは、上記機能を発揮させる目的で横架部材に施される全てのゴムをいい、上記機能を発揮可能な範囲において、その具体的組成や構成等は特に問わない。
【００２１】
【００２２】
【００２３】
【発明の実施の形態】
次に、本発明の実施の形態を図面を参照しつつ詳細に説明する。
【００２４】
図１は、本発明にかかる床構造の第一の実施形態を示す分解斜視図である。また、図２は、本実施形態を示す縦断面図である。
【００２５】
これらの図において、床は、間隔をおいて設置された複数の独立基礎１０の上に横架部材１２が掛け渡され、この横架部材１２を挟み込むように一対の床部材２０が配置されて形成される。
【００２６】
ここで、独立基礎１０は、横架部材１２及びこれに連結された床部材２０を所定高さに支持するためのものである。その構造は周知であるため、説明を省略する。ただ、この独立基礎１０の高さは、周囲に形成される図示しない布基礎及びその上に設置される図示しない土台等の高さを考慮し、横架部材１２を介して支持する床部材２０の床表面が水平になるように設定される。
【００２７】
横架部材１２は、一対のフランジ部１２ａ，１２ｂがこれらに垂直なリブ状部１２ｃで接続されたＨ形鋼を、防振ゴム１４にて全面被覆して形成される。鋼であることから丈夫であり、Ｈ形の断面をなすことから、一対の床部材２０に対して均等な割合で取り付けやすい。また、防振ゴム１４で被覆されることから、床部材２０に取り付けられたときに、床部材２０との間の摩擦力が大きくなるとともに、床部材２０から伝わる振動がゴムによって吸収され、床部材２０と横架部材１２が相互にずれにくくなる。従って、部材相互の位置関係を良好な状態に維持することが容易となる。
【００２８】
なお、本実施形態においては、防振ゴム１４として、例えばクロロプレンゴムなどの各種ゴム材からなるものが使用される。この防振ゴム１４は、例えば、焼付、被冠、接着等の手段によってＨ形鋼に取り付けることができる。
【００２９】
また、リブ状部１２ｃには、床部材２０を接続するための連結手段３０を挿入可能な孔１２ｄが複数設けられる。このため、図２に示すように、連結手段３０によって、横架部材１２を併せて固定することができる。従って、施工に必要な金物の点数削減による手間とコストの低減化が図られる。
【００３０】
なお、連結手段３０は、ボルト３２、ナット３４、ワッシャ３６からなる。これらの各部材の構成は周知であるため、ここでは詳細な説明を省略する。
【００３１】
床部材２０は、床パネルであって、矩形の枠体２２の上面に面材２０を張り付けて形成される。そして、横架部材１２が取り付けられる側端面２０ａには、フランジ部１２ａ，１２ｂを水平にして配置された横架部材１２の、上側のフランジ１２ａに嵌合可能な溝２６ａと、リブ状部１２ｃに嵌合可能な段差部２６ｂと、を含む凹部２６が形成される。このような凹部２６を有することから、横架部材１２をはめ込んで一対の床部材２０を簡単に連結することができる。また、横架部材１２が凹部２６にはめ込まれた状態で、床表面の側端を互いに接合することが可能となる。このため、床表面に現れる接合部の増加を防止することができる。
【００３２】
なお、溝２６ａは、横架部材１２の上側のフランジ部１２ａがはめ込まれたときに、下側のフランジ部１２ｂが床部材２０の下面に接する位置に形成される。これにより、横架部材１２の床下への突出が防止される。このため、床部材２０の取付位置を上方へずらすことなく、広い床下空間を確保することが可能となる。また、下側のフランジ部１２ｂによって床部材２０の接合部が覆われることから、接合部における断熱が図られる。さらに、下側のフランジ部１２ｂにより、各床部材２０の下面が支持され、確実な接合状態の維持が可能となる。
【００３３】
床部材２０の側端面２０ａには、凹部２６に加えて、連結手段３０のボルト３２を挿入するための貫通孔２７が形成される。その形成位置及び形成数等は、横架部材１２の孔１２ｄに合わせて設定される。
【００３４】
このような構成を有する床は、次のような手順で形成される。
【００３５】
まず、独立基礎１０の上に横架部材１２を掛け渡す。このとき、一対のフランジ部１２ａ、１２ｂが水平になるように配置する。
【００３６】
次に、一対の床部材２０の側端面２０ａ同士を対面させるように配置して、各凹部２６に横架部材１２をはめ込み、床表面の側端を接合しつつ、連結手段３０で床部材２０及び横架部材１２を固定する。このとき、床部材２０の側端面２０ａとは反対側の端部は、図示しない布基礎あるいはこの布基礎の上に設けられた土台の上に載設されて、床表面が水平に保たれる。従って、独立基礎１０は、布基礎などとともに床部材２０の床表面を水平に維持し得る高さに形成される。
【００３７】
なお、床部材２０が床パネルであることから、簡単な作業で床を形成することができ、施工期間の短縮、品質の均一化等が図られる。
【００３８】
【００３９】
【００４０】
【００４１】
【００４２】
【００４３】
【００４４】
【００４５】
【００４６】
【００４７】
【００４８】
なお、本発明の実施の形態は、上述の例に限られるものではなく、種々の変形が可能である。例えば、横架部材の表面を被覆する防振ゴムは、省略することもできる。
【００４９】
【発明の効果】
以上説明したように、請求項１記載の発明によれば、基礎上に掛け渡される横架部材が、一対の床部材の側端面に設けられた凹部にはめ込まれ、一対の床部材の床表面の側端が接合されることから、床表面に現れる接合部を増やすことなく、床下空間が広くなる床構造を提供することが可能となる。
【００５０】
また、一対の床部材が連結手段を介して互いに連結固定されることから、横架部材によって一対の床部材の接合部が補強され、強固な床構造を実現することが可能となる。
【００５１】
さらに、横架部材がＨ形鋼であることから、床構造を簡単に実現することができる。
そしてさらに、各床部材が建築用パネルで構成されることから、広い床下空間を有する床を簡単な作業で迅速に形成することができる。
【００５２】
請求項２記載の発明によれば、横架部材であるＨ形鋼がゴムで被覆されることから、Ｈ形鋼とその周囲の部材との間の摩擦力が大きくなり、良好な接合状態を維持しやすい。
【００５３】
【図面の簡単な説明】
【図１】  本発明の第一の実施形態を示す一部分解斜視図である。
【図２】  本発明の第一の実施形態を示す縦断面図である。
【符号の説明】
１０  独立基礎（基礎）
１２  横架部材
１２ａ，１２ｂ  フランジ部
１４  防振ゴム
２０  床部材
２６  凹部
２６ａ  溝
３０  連結手段
【図１】
0003892116.tif 000002
【図２】
0003892116.tif 000003